(57)【要約】【課題】高さ寸法が小さくて済むとともに、開閉扉の組み付け作業が容易となるようにする。【解決手段】遊技盤１１のおもて面に対して接触した状態で取り付けられる取付板部４２を有する取付部材４０と、取付部材４０に形成された開口部４５と、開口部４５に対して、取付板部４２よりも手前側に位置する回動軸１０６を中心に、ほぼ鉛直状態の閉状態と、その上端部が回動軸１０６よりも手前側に位置する斜め状態の開状態との間を揺動可能に配設される開閉扉１００とを有し、取付部材４０に形成され手前側に開口した収容溝に対して回動軸１０６が収容されることによって、開閉扉１００が取付部材４０に対して組み付けられる。【選択図】    図４
2004208718.tif 000002
【特許請求の範囲】
【請求項１】
遊技盤のおもて面に対して接触した状態で取り付けられる取付板部を有する取付部材と、
前記取付部材に形成された開口部と、
前記開口部に対して、前記取付板部よりも手前側に位置する回動軸を中心に、ほぼ鉛直状態の閉状態と、その上端部が前記回動軸よりも手前側に位置する斜め状態の開状態との間を揺動可能に配設される開閉扉とを有し、
前記取付部材に形成され手前側に開口した収容溝に対して前記回動軸が収容されることによって、前記開閉扉が前記取付部材に対して組み付けられるものである、
パチンコ機の入賞装置。
【請求項２】
請求項１に記載のパチンコ機の入賞装置であって、
前記開閉扉の内側面が手前側方向に向かって湾曲している、
パチンコ機の入賞装置。
【発明の詳細な説明】
【０００１】
【発明の属する技術分野】
本発明は、パチンコ機における入賞装置に関するものである。
【０００２】
【従来の技術】
従来、パチンコ機の入賞装置として、特許文献１に記載されているものがある。
その入賞装置は取付部材（取付板）を有し、取付板部（フランジ部）が遊技盤に対して接触する状態で取付部材が遊技盤に対して取り付けられる。
また、その入賞装置は、開閉扉を有し、開閉扉（シャッター）が回動軸（軸）を中心に揺動可能に設けられている。そして、その回動軸（その軸心）は、取付板部よりも手前側に位置している。
こうして、開閉扉の高さ寸法が小さくされ、入賞装置自体の高さ寸法が小さくされている。
【０００３】
【特許文献１】
特開２００２−１１１６８公報
【０００４】
【発明が解決しようとする課題】
しかしながら、上述の従来の入賞装置では、開閉扉の回動軸は、取付部材の裏側（奥側）の部分に形成された軸受け溝に対して挿入される。すなわち、開閉扉は、取付部材の裏側から取付部材に対して組み付けられる。
このため、その組み付け作業は煩雑である。
【０００５】
そこで、本発明は、高さ寸法が小さくて済むとともに、開閉扉の組み付け作業が容易となるパチンコ機の入賞装置を提供することを目的とする。
【０００６】
【課題を解決するための手段】
上記の目的を達成するために、請求項１に係る発明は、遊技盤のおもて面に対して接触した状態で取り付けられる取付板部を有する取付部材と、前記取付部材に形成された開口部と、前記開口部に対して、前記取付板部よりも手前側に位置する回動軸を中心に、ほぼ鉛直状態の閉状態と、その上端部が前記回動軸よりも手前側に位置する斜め状態の開状態との間を揺動可能に配設される開閉扉とを有し、前記取付部材に形成され手前側に開口した収容溝に対して前記回動軸が収容されることによって、前記開閉扉が前記取付部材に対して組み付けられるものである、パチンコ機の入賞装置である。
【０００７】
上記発明のパチンコ機の入賞装置では、開閉扉の回動軸が取付板部よりも手前側に位置するため、取付板部よりも奥側に位置する場合と比較して、開閉扉の高さ寸法が小さくて済み、入賞装置自体の高さ寸法が小さくて済むこととなる。
それとともに、上記発明のパチンコ機の入賞装置では、取付部材に形成され手前側に開口した収容溝に対して回動軸が収容されることによって、開閉扉が取付部材に対して組み付けられる。すなわち、取付部材に対して、その手前側から開閉扉が組み付けられる。このため、取付部材に対して、その奥側から開閉扉が組み付けられる場合と比べて、その組み付け作業が容易なものとなる。
【０００８】
請求項２に係る発明は、請求項１に係る発明のパチンコ機の入賞装置であって、前記開閉扉の内側面が手前側方向に向かって湾曲している、パチンコ機の入賞装置である。
【０００９】
上記発明のパチンコ機の入賞装置では、請求項１に係る発明のパチンコ機の入賞装置の作用効果に加えて、次の作用効果が得られる。
すなわち、開閉扉の内側面が手前側方向に向かって湾曲しているため、そのようには湾曲していない場合（例えば平面状の場合）と比較して、開口部（その縁部）と開状態の開閉扉との距離が長くなる。逆にいえば、遊技球が入賞装置内に入賞するためには、開口部の高さ寸法がその分短くて済み、入賞装置自体の高さ寸法がその分小さくて済むこととなる。
【００１０】
【発明の実施の形態】
次に、本発明の一実施形態を図面に基づいて説明する。
まず、パチンコ機（弾球遊技機）の一例について、その概略を説明する。
図１に示すように、このパチンコ機（弾球遊技機）は筐体１０を有し、筐体１０の内部には、ほぼ鉛直な遊技盤１１が配設されている。遊技盤１１の手前側には、ガラス窓１２が設けられている。ガラス窓１２（遊技盤１１）の下方には、ハンドル１４や賞球払い出し装置（図示省略）が設けられている。
また、このパチンコ機には、後述する各種の動作の制御をする制御装置（図示省略）が設けられている。
【００１１】
遊技盤１１には、外側レール１５及び内側レール１６が設けられており、内側レール１６の内側が遊技領域（符号省略）とされている。そして、遊技者がハンドル１４を操作することによって発射されたパチンコ球は、遊技領域へと導かれる。
【００１２】
遊技盤１１（遊技領域）には、多数の釘（図示省略）や風車２６が設けられているとともに、複数の普通入賞口２４が設けられている。普通入賞口２４にパチンコ球が入った場合には、例えば１５個のパチンコ球が賞球として賞球払い出し装置から払い出される。
【００１３】
遊技盤１１のほぼ中央にはセンター役物２０が設けられている。センター役物２０には、表示部（符号省略）が設けられている。センター役物２０の下方には始動入賞口２２が設けられ、その下方には入賞装置３０（図２参照）が設けられている。
【００１４】
入賞装置３０は、次のような構造を有している。
図２及び図３に示すように、入賞装置３０は、手前側から奥側に向かって、取付部材４０，手前側箱枠６０，奥側箱枠７０，ソレノイド取付板９０を有している。それらは、ビス（図示省略）によって結合されている。
【００１５】
取付部材４０は、ほぼ鉛直平面状（フランジ状）の取付板部４２を有している。図４に示すように、取付板部４２が遊技盤１１（そのおもて面）に対して密着状態（接触状態）でビス（図示省略）によって取り付けられることによって、取付部材４０は、遊技盤１１に対して取り付けられている。
【００１６】
図３に示すように、取付部材４０には、ほぼ横長の長方形状の開口部４５が形成されている。
開口部４５の左右両側には、手前側方向（遊技者に向かう方向）に突出する突出部４６が各々形成されている。各突出部４６には、手前側に開口する収容穴部４７が形成され、各収容穴部４７の左右両側には、手前側に開口する一対の収容溝部４８が形成されている。各収容溝部４８の底部（最も奥側の部分）は、取付板部４２よりも手前側に位置している。
【００１７】
開口部４５に対して、開閉扉１００が、次のように開閉可能に取り付けられている。
図３に示すように、開閉扉１００は、ほぼ横長の帯板状をしている。図４及び図６に示すように、開閉扉１００の内側面１０１は、手前側方向に向かって湾曲している。
【００１８】
図３に示すように、開閉扉１００の下端部の左右両側には、各々、支持部１０２が形成されている。各支持部１０２には、入賞装置３０の幅方向に延びる軸孔１０４が形成されており、各軸孔１０４には回動軸１０６が回動可能に嵌合されている。このようにして、回動軸１０６は開閉扉１００の下端部に対して取り付けられている。
各突出部４６に対応して、前面部材１２０が伴っている。各前面部材１２０は、鉛直平面状（フランジ状）の前板部１２２を有し、各前板部１２２の奥側の面には軸位置規定部１２４が形成されている。各軸位置規定部１２４は、両収容溝部４８に対応して、各前板部１２２から奥側の方向に突出している。
【００１９】
そして、各支持部１０２が各収容穴部４７に収容され、各回動軸１０６（そのうちの両端部）が各収容溝部４８に収容された状態で（図４も参照）、図４に示すように、各軸位置規定部１２４が各収容溝部４８に収容されるようにして各前面部材１２０（前板部１２２）がビス（図示省略）によって各突出部４６に取り付けられている。
その状態で、各軸位置規定部１２４の先端部と各収容溝部４８の底部との間の距離は、回動軸１０６の直径にほぼ対応している。そのように、各軸位置規定部１２４の長さが設定されている。
こうして、各回動軸１０６が各収容溝部４８の底部の近傍において回動可能に保持されている。
【００２０】
以上のようにして、開閉扉１００は、取付板部４２よりも手前側に位置する回動軸１０６を中心に揺動（回動）することによって、開閉可能とされている（図２，図６等も参照）。
閉状態においては、開閉扉１００は、ほぼ鉛直となっている。開状態においては、開閉扉１００は、その上端部が手前側に向かうように（ガラス窓１２に接近するように）傾斜する。
【００２１】
図３〜図６に示すように、開閉扉１００に伴って、ソレノイド取付板９０にはソレノイド１３０が設けられ、ソレノイド１３０に対してプランジャ１３２が出没可能（入賞装置３０の奥行方向に往復移動可能）に設けられており、プランジャ１３２は圧縮スプリング１３３によってソレノイド１３０から突出する方向に付勢されている。
このため、図５（ａ）及び図６（ａ）に示すように、ソレノイド１３０が非励磁状態の際にプランジャ１３２が突出状態であり、図５（ｂ）及び図６（ｂ）に示すように、ソレノイド１３０が励磁状態の際にプランジャ１３２が没入状態となる。
図３〜図６に示すように、プランジャ１３２には連結材１３４が連結されている。連結材１３４には、入賞装置３０の幅方向に延びる連結棒部１３５が設けられてる。
【００２２】
図３〜図６に示すように、手前側箱枠６０に対して、回動部材１４０が設けられている。回動部材１４０は軸孔１４１を有し、軸孔１４１には回動軸１４２が回動可能に嵌合されている。回動軸１４２は、入賞装置３０の幅方向に延び、手前側箱枠６０の一対の溝部６７（図９及び図１０）に回動可能に嵌合され、奥側箱枠７０の一部によって抜け止めされている。
【００２３】
回動部材１４０は、回動軸１４２を中心にほぼ９０度を隔てて２方向に延びる被操作部１４４と作用部１４６とを有している。被操作部１４４には長孔状の連結孔１４５が形成されており、連結孔１４５には連結材１３４の連結棒部１３５が嵌合されている。
このため、連結材１３４が入賞装置３０の奥行方向に移動することによって、回動部材１４０が回動軸１４２を中心に回動する。それによって、作用部１４６の先端部が下降位置（図６（ａ））と上昇位置（図６（ｂ））との間を上下動する。
【００２４】
開閉扉１００には、一対の板状部１１０が設けられている。両板状部１１０は、入賞装置３０の幅方向とは直角に形成されている。
一方の板状部１１０には、切欠状の被係合部１１２が形成されている。被係合部１１２に対して図６中時計回り方向に隣接して、被当接部１１４が形成されている。
【００２５】
図５（ａ）及び図６（ａ）に示すように、ソレノイド１３０が非励磁状態の際には、プランジャ１３２が突出状態で、作用部１４６の先端部が下降位置にあり、作用部１４６の先端部が被係合部１１２に嵌合して被係合部１１２を下方に押圧し、開閉扉１００は閉状態にある。
【００２６】
図５（ｂ）及び図６（ｂ）に示すように、ソレノイド１３０が励磁状態とされることによって、プランジャ１３２が没入状態となり、回動部材１４０が図６中時計回り方向に回動して作用部１４６の先端部が上昇位置まで上昇し、作用部１４６の先端部が被係合部１１２を上方に押圧する。
これによって、ある程度以上開閉扉１００が開方向に回動し、その後は板状部１１０等に作用する重力によって開閉扉１００はさらに開方向に回動し、開閉扉１００は開状態になる。
【００２７】
そして、図５（ａ）及び図６（ａ）に示すように、ソレノイド１３０が再度非励磁状態とされることによって、プランジャ１３２が突出状態となり、回動部材１４０が図６中反時計回り方向に回動して作用部１４６の先端部が下降位置まで下降し、作用部１４６の先端部が被当接部１１４を下方に押圧する。
これによって、ある程度開閉扉１００が閉方向に回動し、作用部１４６の先端部が被係合部１１２に嵌合し、被係合部１１２を下方に押圧し、開閉扉１００は閉状態になる。
【００２８】
手前側箱枠６０は、取付部材４０の開口部４５に対応して、その中央に開口部６２を有している。
【００２９】
図３，図７〜図１０に示すように、手前側箱枠６０には、開口部６２の下縁部から奥側に向かって、通路部６４が形成されている。
通路部６４（その底面）は、ほぼ水平であるが、正確にいえば、手前側から奥側に向かうにつれて徐々に下方に向かうように傾斜している。
また、通路部６４（その底面）のうちの左右両側の部分は、上述のようにほぼ水平であるが、正確にいえば、さらに、左右方向（入賞装置３０の幅方向）の中央部に向かうにつれて徐々に下方に向かうように、水平から若干傾斜している。また、図１０に示すように、通路部６４（その底部）のうちの左右両側の部分の奥側の部分には、干渉回避部６５ａ，６５ｂが形成されている。
【００３０】
図３，図７，図８に示すように、通路部６４の奥側には、一対の入賞口８０ａ，８０ｂが設けられている。左側の入賞口８０ａが一般入賞口８０ａ（本発明の第１入賞口に該当する）であり、右側の入賞口８０ｂが継続入賞口８０ｂ（本発明の第２入賞口に該当する）である。
一般入賞口８０ａ及び継続入賞口８０ｂには、各々検出センサ（図示省略）が伴っており、一般入賞口８０ａ／継続入賞口８０ｂを流れるパチンコ球Ｂ（その数）が検出される。
【００３１】
通路部６４と一対の入賞口（一般入賞口８０ａ及び継続入賞口８０ｂ）との間には、図３，図７〜図１０に示すように、振り分け部材２００が配設されている。
図３，図９，図１０に示すように、振り分け部材２００の中央部には軸孔２０２が形成されており、軸孔２０２に回動軸２０４が貫通されている。回動軸２０４の手前側の端部は、手前側箱枠６０に形成された支持穴６６（図１０）に支持され、回動軸２０４の奥側の端部は、奥側箱枠７０に形成された支持穴７６（図３）に支持されている。
こうして、図３，図９，図１０に示すように、振り分け部材２００は、回動軸２０４を中心に回動可能とされており、一般入賞口誘導状態と継続入賞口誘導状態との間を変位可能である。
【００３２】
図３，図１０，図１１に示すように、振り分け部材２００は、軸孔２０２を挟んで、一般入賞口対応部２１０ａ（本発明の第１入賞口対応部に該当する）及び継続入賞口対応部２１０ｂ（本発明の第２入賞口対応部に該当する）を有している。
一般入賞口対応部２１０ａ及び継続入賞口対応部２１０ｂは、回動軸２０４を中心に鈍角の角度間隔を隔てて形成されている。
図３，図７，図８に示すように、一般入賞口対応部２１０ａは一般入賞口８０ａの手前側に位置し、継続入賞口対応部２１０ｂは継続入賞口８０ｂの手前側に位置し、図１０に示すように、各々、各干渉回避部６５ａ，６５ｂに対応している。
【００３３】
図１０及び図１１に示すように、一般入賞口対応部２１０ａ，継続入賞口対応部２１０ｂは、前板部２１２ａ，２１２ｂ及び上板部２１４ａ，２１４ｂを有している。前板部２１２ａ，２１２ｂは手前側においてほぼ鉛直にされている。上板部２１４ａ，２１４ｂは前板部２１２ａ，２１２ｂの上端部から奥側に向かっている。
【００３４】
そして、図７に示すように、一般入賞口誘導状態（本発明の第１入賞口誘導状態に該当する）においては、一般入賞口対応部２１０ａの上板部２１４ａが通路部６４とほぼ同一高さ位置となり、通路部６４のうち一般入賞口８０ａに向かう部分を遮断しない非遮断位置にある。それとともに、継続入賞口対応部２１０ｂの上板部２１４ｂが通路部６４よりも高い位置となり、継続入賞口対応部２１０ｂの前板部２１２ｂによって通路部６４のうち継続入賞口８０ｂに向かう部分を遮断する遮断位置にある。
【００３５】
一方、図８に示すように、継続入賞口誘導状態（本発明の第２入賞口誘導状態に該当する）においては、継続入賞口対応部２１０ｂの上板部２１４ｂが通路部６４とほぼ同一高さ位置となり、通路部６４のうち継続入賞口８０ｂに向かう部分を遮断しない非遮断位置にある。それとともに、一般入賞口対応部２１０ａの上板部２１４ａが通路部６４よりも高い位置となり、一般入賞口対応部２１０ａの前板部２１２ａによって通路部６４のうち一般入賞口８０ａに向かう部分を遮断する遮断位置にある。
【００３６】
図３等に示すように、ソレノイド取付板９０には、ソレノイド２３０が取り付けられている。ソレノイド２３０にはプランジャ２３２が出没可能（入賞装置３０の奥行方向に移動可能）に設けられており、プランジャ２３２は圧縮スプリング２３３によってソレノイド２３０から突出する方向に付勢されている。
そして、ソレノイド２３０が非励磁状態の際には、プランジャ２３２が圧縮スプリング２３３の付勢力によって突出状態にあり、ソレノイド２３０が励磁状態の際には、プランジャ２３２が圧縮スプリング２３３の付勢力に抗して没入状態にある。
プランジャ２３２には奥行方向移動部材２３４が連結されている。奥行方向移動部材２３４には、入賞装置３０の幅方向に延びる連結軸２３５が設けられている。
【００３７】
図３，図１０，図１１に示すように、奥行方向移動部材２３４の手前側には、回動部材２４０が配設されている。回動部材２４０は軸孔２４１を有し、軸孔２４１に回動軸２４２が回動可能に嵌合されている。回動軸２４２は、入賞装置３０の幅方向に延びている。
図３に示すように、回動軸２４２の両端部のうちの奥側部分は、奥側箱枠７０に形成された一対の溝部７８（一方のみ図示）に回動可能に嵌合されている。また、図１０に示すように、回動軸２４２の一端部のうちの手前側部分は、手前側箱枠６０に形成された溝部６８に回動可能に嵌合され、回動軸２４２の他端部のうちの手前側部分は、軸支持部材２５０の溝部２５８に回動可能に嵌合されている。軸支持部材２５０は、手前側箱枠６０に対して取り付けられている。
このようにして、回動軸２４２が所定の位置に回動可能に配設されており、回動部材２４０は、回動軸２４２を中心に回動可能である。
【００３８】
図３及び図１０に示すように、回動部材２４０には、長孔状の連結孔２４５が形成されている。連結孔２４５は、入賞装置３０の幅方向に貫通している。奥行方向移動部材２３４の連結軸２３５は、連結孔２４５に嵌合されている。このため、奥行方向移動部材２３４の移動に伴って、回動部材２４０は回動軸２４２を中心に回動する。
回動部材２４０の手前側部分には、把持部２４６が形成されている。回動部材の回動に伴って、把持部２４６は上下動する。
【００３９】
図３及び図１０に示すように、回動部材２４０に伴って、回動部材２６０が配設されている。
回動部材２６０は軸孔２６１を有し、軸孔２６１に回動軸２６２が回動可能に嵌合されている。回動軸２６２は、入賞装置３０の奥行方向に延びている。
図３に示すように、回動軸２６２のうちの一端部は、軸支持部材２５０の軸穴２５１に回動可能に嵌合され、図１０に示すように、回動軸のうちの他端部は、手前側箱枠６０に形成された軸穴６９に回動可能に嵌合されている。
このようにして、回動軸２６２が所定の位置に回動可能に配設されており、回動部材２６０は、回動軸２６２を中心に回動可能である。
【００４０】
図３及び図１０に示すように、回動部材２６０には、軸孔２６１を挟んで、被操作部２６４及び作用部２６６が形成されている。
被操作部２６４は、回動部材２６０の一端部において奥側方向に突出する軸状をなしており、回動部材２４０の把持部２４６に把持されている。このため、上述の回動部材２４０の回動による把持部２４６の上下動に伴って、被操作部２６４も上下動し、回動部材２６０が回動軸２６２を中心に回動する。
【００４１】
作用部２６６は、回動部材２６０の他端部においてほぼ円形に形成されている。作用部２６６は、振り分け部材２００の継続入賞口対応部２１０ｂの裏側に形成された嵌合部２１６に対して回動可能に嵌合されている。
このため、上述のように回動部材２６０が回動軸２６２を中心に回動することによって、作用部２６６も上下動し、振り分け部材２００が回動軸２０４を中心に回動する。
【００４２】
以上のようにして、図１１（ａ）に示すように、ソレノイド２３０が非励磁状態の際には、奥行方向移動部材２３４が手前側に位置し、回動部材２４０の把持部２４６が下降しており、回動部材２６０の作用部２６６（図１０）が上昇しており、振り分け部材２００は、一般入賞口誘導状態にある。
【００４３】
図７に示すように、一般入賞口誘導状態においては、一般入賞口対応部２１０ａの上板部２１４ａが通路部６４とほぼ同一高さ位置においてほぼ水平であり、通路部６４のうち一般入賞口８０ａに向かう部分を遮断しない非遮断位置にある。それとともに、継続入賞口対応部２１０ｂの上板部２１４ｂが通路部６４よりも高い位置にあり、継続入賞口対応部２１０ｂの前板部２１２ｂによって通路部６４のうち継続入賞口８０ｂに向かう部分を遮断する遮断位置にある。
【００４４】
その際、継続入賞口対応部２１０ｂの上板部２１４ｂ（その上面）は、入賞装置３０の幅方向においては、継続入賞口８０ｂから一般入賞口８０ａに向かう方向に沿って徐々に下方に向かうように斜め（水平から傾斜）の状態であるとともに、入賞装置３０の奥行方向においては、ほぼ水平な状態である。
【００４５】
一方、図１１（ｂ）に示すように、ソレノイド２３０が励磁状態の際には、奥行方向移動部材２３４が奥側に位置し、回動部材２４０の把持部２４６が上昇しており、回動部材２６０の作用部２６６（図１０）が下降しており、振り分け部材２００は、継続入賞口誘導状態にある。
【００４６】
図８に示すように、継続入賞口誘導状態においては、継続入賞口対応部２１０ｂの上板部２１４ｂが通路部６４とほぼ同一高さ位置においてほぼ水平となり、通路部６４のうち継続入賞口８０ｂに向かう部分を遮断しない非遮断位置にある。それとともに、一般入賞口対応部２１０ａの上板部２１４ａが通路部６４よりも高い位置となり、一般入賞口対応部２１０ａの前板部２１２ａによって通路部６４のうち一般入賞口８０ａに向かう部分を遮断する遮断位置となる。
【００４７】
その際、一般入賞口対応部２１０ａの上板部２１４ａ（その上面）は、入賞装置３０の幅方向においては、一般入賞口８０ａから継続入賞口８０ｂに向かう方向に沿って徐々に下方に向かうように斜め（水平から傾斜）の状態であるとともに、入賞装置３０の奥行方向においては、ほぼ水平な状態である。
【００４８】
入賞装置３０は、次のように制御される。
始動入賞口２２（図１参照）に１個のパチンコ球（図１では図示省略）が入る（入賞する）と、センター役物２０の表示部では、所定の時間の間、図柄が変動表示され、その後、最終的な図柄が静止表示される。静止表示された図柄には「当たり」と「はずれ」とがあり、「当たり」の場合（例えば「７７７」）には、図８及び図１１（ｂ）に示すように、ソレノイド２３０が励磁され、振り分け部材２００（図８には符号なし）は継続入賞口誘導状態となる。
それとともに、図５（ｂ）及び図６（ｂ）に示すように、ソレノイド１３０が励磁され、入賞装置３０の開閉扉１００が開く（図２（ｂ）も参照）。そして、図８に示すように、１個のパチンコ球Ｂが継続入賞口８０ｂに入る（入賞する）と、図７及び図１１（ａ）に示すように、それに基づいてソレノイド２３０が非励磁状態となり、振り分け部材２００（図７には符号なし）は一般入賞口誘導状態となる。９個のパチンコ球Ｂが一般入賞口８０ａに入る（入賞する）と、図５（ａ）及び図６（ａ）に示すように、ソレノイド１３０が非励磁状態となり、開閉扉１００が閉じる（図２（ａ）も参照）。
こうして、原則として、開閉扉１００が１回開いた状態において合計１０個のパチンコ球Ｂが入賞口（一般入賞口８０ａ及び継続入賞口８０ｂ）に入賞するようにされている。
なお、９個のパチンコ球Ｂが一般入賞口８０ａに入る前であっても、開閉扉１００が開状態となってから３０秒経過した場合は、その時点で開閉扉１００が閉じる。
【００４９】
上述のようにして開閉扉１００が閉じてから数秒後に、再度ソレノイド２３０が励磁状態となって継続入賞口誘導状態となるとともに、開閉扉１００が再度開き、上述のことが繰り返される。
以上のようにして開閉扉１００が１５回開閉される。
なお、前回における開閉扉１００の開状態の際に何らかの不都合で継続入賞口８０ｂにパチンコ球Ｂが入賞しなかった場合は、開閉扉１００が一旦閉じた後に開閉扉１００は開かず、開閉扉１００の開閉回数が１５回未満でも開閉扉１００は閉じたままとなり、この「当たり」の状態は終了する。
【００５０】
次に、この入賞装置３０の作用効果について説明する。
図６（ｂ）に示すように、入賞装置３０内に入賞しようとするパチンコ球Ｂが確実に入賞装置３０内に入賞するためには、開状態の開閉扉１００の先端部とガラス窓１２との間隔が所定のもの以内である必要がある。
そして、図４に基づいて前述したように、開閉扉１００は、取付板部４２よりも手前側に位置する回動軸１０６を中心に揺動（回動）することによって、開閉可能とされている。
【００５１】
このため、回動軸（１０６）が取付板部４２よりも奥側に位置する場合と比較して、開閉扉１００の高さ寸法（閉状態における上下方向の寸法）が、小さくて済む。回動軸１０６がガラス窓１２に近い位置にあるため、開閉扉１００の高さ寸法が小さくても、閉状態の開閉扉１００の先端部はガラス窓１２に対して十分に接近することができるからである。
このように、この入賞装置３０では、開閉扉１００の高さ寸法が小さくて済むため、入賞装置３０自体の高さ寸法が小さくて済むことになる。
このため、入賞装置３０が遊技盤１１（遊技領域）に対して占有するスペースが小さくて済み、パチンコ球Ｂの移動領域を狭めることが防止される。
【００５２】
また、図４及び図６に基づいて前述したように、この入賞装置３０では、開閉扉１００の内側面１０１は、手前側方向に向かって湾曲している。
このため、図６（ｂ）に示すように、そのように湾曲してはいない場合（例えば平面状の場合）と比較して、開口部４５（その上縁部）と開状態の開閉扉１００との距離が長くなる。逆にいえば、パチンコ球Ｂが入賞装置３０内に入賞するためには、開口部４５の高さ寸法がその分小さくて済み、入賞装置３０自体の高さ寸法ががその分小さくて済むことになる。
このため、この点でも、入賞装置３０が遊技盤１１（遊技領域）に対して占有するスペースが小さくて済み、パチンコ球Ｂの移動領域を狭めることが防止される。
【００５３】
また、図３に基づいて前述したように、この入賞装置３０では、各収容穴部４７及び各収容溝部４８は手前側に開口しており、その各収容穴部４７に各支持部１０２が収容され、その各収容溝部４８に各回動軸１０６（そのうちの両端部）が各収容溝部４８に収容されることによって、開閉扉１００が組み付けられる。すなわち、取付部材４０に対して、その手前側から開閉扉１００が組み付けられる。このため、取付部材４０に対して、その奥側から開閉扉１００が組み付けられる場合と比べて、その組み付け作業が容易なものとなる。
【００５４】
なお、上記のものはあくまで本発明の一実施形態にすぎず、当業者の知識に基づき種々の変更を加えた態様で本発明を実施できることはもちろんである。
【００５５】
【発明の効果】
以上説明したように、本発明によれば、入賞装置の高さ寸法が小さくて済み、その分、遊技盤における遊技球の移動領域が狭められることが防止されるとともに、開閉扉の組み付け作業が容易なものとなる。
【図面の簡単な説明】
【図１】本発明の一実施形態の入賞装置を有するパチンコ機の正面図である。
【図２】本発明の一実施形態の入賞装置を示す斜視図である。（ａ）は、開閉扉が閉状態にある状態を示し、（ｂ）は、開閉扉が開状態にある状態を示す。
【図３】本発明の一実施形態の入賞装置の分解斜視図である。
【図４】本発明の一実施形態の入賞装置を示す縦断面図である。開閉扉は閉状態である。
【図５】本発明の一実施形態の入賞装置のうちの一部（開閉扉及びそれに関連する要素）を取り出して示す斜視図である。（ａ）は、開閉扉が閉状態にある状態を示し、（ｂ）は、開閉扉が開状態にある状態を示す。
【図６】本発明の一実施形態の入賞装置を示す縦断面図である。（ａ）は、開閉扉が閉状態にある状態を示し、（ｂ）は、開閉扉が開状態にある状態を示す。
【図７】本発明の一実施形態の入賞装置を示す一部破断斜視図である。振り分け部材が一般入賞口誘導状態にある状態を示す。
【図８】本発明の一実施形態の入賞装置を示す一部破断斜視図である。振り分け部材が継続入賞口誘導状態にある状態を示す。
【図９】本発明の一実施形態の入賞装置のうちの一部（振り分け部材及びそれに関連する要素）を取り出して示す斜視図である。斜め後方から見た図である。
【図１０】本発明の一実施形態の入賞装置のうちの一部（振り分け部材及びそれに関連する要素）を取り出して示す分解斜視図である。斜め後方から見た図である。
【図１１】本発明の一実施形態の入賞装置のうちの一部（振り分け部材及びそれに関連する要素）を取り出して示す斜視図である。斜め前方から見た図である。（ａ）は、振り分け部材が一般入賞口誘導状態にある状態を示し、（ｂ）は、振り分け部材が継続入賞口誘導状態にある状態を示す。
【符号の説明】
１１  遊技盤
３０  入賞装置
４０  取付部材
４２  取付板部
４５  開口部
４８  収容溝部
１００  開閉扉
１０１  内側面
１０６  回動軸
【図１】
2004208718.tif 000003
【図２】
2004208718.tif 000004
【図３】
2004208718.tif 000005
【図４】
2004208718.tif 000006
【図５】
2004208718.tif 000007
【図６】
2004208718.tif 000008
【図７】
2004208718.tif 000009
【図８】
2004208718.tif 000010
【図９】
2004208718.tif 000011
【図１０】
2004208718.tif 000012
【図１１】
2004208718.tif 000013